(57)【要約】  電気外科用ペンシルおよび／または電気外科用ペンシル用のシュラウドなどの電気外科用ペンシル取付具に取外し可能に取り付けられる照明取付装置。照明取付装置を、電気外科用ペンシルおよび／または電気外科用ペンシル取付具の起動および停止とともに自動的にオン・オフすることができる。
2014519882.tif 000002
【特許請求の範囲】
【請求項１】
電気外科用ペンシルおよび電気外科用ペンシル取付具用の照明取付装置であって、
支持部材と、
前記照明取付装置を電気外科用ペンシルおよび電気外科用ペンシル取付具のうちの少なくとも一方に取り付けるための、前記支持部材に接続された少なくとも１つの取付部材と、
前記支持部材および前記少なくとも１つの取付部材のうちの少なくとも一方に接続された少なくとも１つの照明素子と、
を具備する照明取付装置。
【請求項２】
前記少なくとも１つの取付部材が略半円形状を有し、それにより、少なくとも１つの前記電気外科用ペンシルおよび前記電気外科用ペンシル取付具の少なくとも一部が、前記取付部材の前記半円形状内に嵌合することができる、請求項１に記載の照明取付装置。
【請求項３】
前記少なくとも１つの照明素子が、少なくとも１つの発光ダイオードと前記発光ダイオードに電力を供給する少なくとも１つのバッテリとを備えている、請求項１に記載の照明取付装置。
【請求項４】
前記照明取付装置が、各々が略半円形状を有する２つの取付部材を備えている、請求項１に記載の照明取付装置。
【請求項５】
前記少なくとも１つの照明素子が、高周波ピックアップコイルによって電力が供給される少なくとも１つの発光ダイオードを含む、請求項１に記載の照明取付装置。
【請求項６】
前記高周波ピックアップコイルが、可撓性基板上のバッテリレス高周波センサを含む、請求項５に記載の照明取付装置。
【請求項７】
前記少なくとも１つの照明素子が前記支持部材に対して移動可能である、請求項１に記載の照明取付装置。
【請求項８】
前記少なくとも１つの照明素子がいずれの方向にも移動することができる、請求項７に記載の照明取付装置。
【請求項９】
前記支持部材が頂面および底面を有し、前記少なくとも１つの取付部材が、電気外科用ペンシルおよび電気外科用ペンシル取付具のうちの前記少なくとも一方の底部の少なくとも一部に取外し可能に固定されるように、前記少なくとも１つの取付部材が前記支持部材の前記頂面に接続されている、請求項１に記載の照明取付装置。
【請求項１０】
前記少なくとも１つの取付部材のうちの１つが、前記少なくとも１つの照明素子とは反対側の前記支持部材の端部に接続されている、請求項１に記載の照明取付装置。
【請求項１１】
前記少なくとも１つの取付部材が、電気外科用ペンシルおよび電気外科用ペンシル取付具のうちの前記少なくとも１つの頂部の少なくとも一部に取外し可能に固定され得る、請求項１に記載の照明取付装置。
【請求項１２】
前記少なくとも１つの取付部材が、前記支持部材の前記頂面の上方に延在している、請求項１に記載の照明取付装置。
【請求項１３】
前記少なくとも１つの照明素子が、電気外科ペンシルおよび電気外科ペンシル取付具の
うちの少なくとも一方がそれぞれ起動および停止されるときに、自動的にオン・オフされる、請求項１に記載の照明取付装置。
【請求項１４】
電気外科ペンシルおよび電気外科ペンシル取付具用の照明取付装置であって、
頂面および底面を有する支持部材と、
前記照明取付装置を電気外科ペンシルおよび電気外科ペンシル取付具のうちの少なくとも一方に取り付けるための、前記支持部材に接続された少なくとも１つの取付部材と、
前記支持部材および前記少なくとも１つの取付部材のうちの少なくとも一方に接続された少なくとも１つの照明素子と、
を具備する照明取付装置。
【請求項１５】
前記少なくとも１つの照明素子が、可撓性基板上のバッテリレス高周波センサによって電力が供給され、前記可撓性基板が、前記少なくとも１つの取付部材としても機能する、請求項１４に記載の照明取付装置。
【請求項１６】
前記少なくとも１つの取付部材として機能する前記可撓性基板が略半円形状を有し、それにより、電気外科ペンシルおよび外科ペンシル取付具のうちの前記少なくとも一方の少なくとも一部が前記可撓性基板の前記半円形状内に嵌合することができる、請求項１５に記載の照明取付装置。
【請求項１７】
前記少なくとも１つの取付部材が略半円形状を有し、それにより、少なくとも１つの前記電気外科用ペンシルおよび前記電気外科用ペンシル取付具の少なくとも一部が前記取付部材の前記半円形状内に嵌合することができる、請求項１４に記載の照明取付装置。
【請求項１８】
前記少なくとも１つの取付部材が、少なくとも１つの前記電気外科用ペンシルおよび前記電気外科用ペンシル取付具の頂部の少なくとも一部の上に嵌合する、請求項１７に記載の照明取付装置。
【請求項１９】
前記少なくとも１つの取付部材が、少なくとも１つの前記電気外科用ペンシルおよび前記電気外科用ペンシル取付具の底部の少なくとも一部の上に嵌合する、請求項１７に記載の照明取付装置。
【請求項２０】
前記少なくとも１つの照明素子が、電気外科ペンシルおよび電気外科ペンシル取付具の少なくとも一方がそれぞれ起動および停止されるときに、自動的にオン・オフされる、請求項１４に記載の照明取付装置。
【発明の詳細な説明】
【技術分野】
【０００１】
関連出願の相互参照
本出願は、２０１１年５月６日に出願された米国仮特許出願第６１／４８３，６０９号明細書および２０１１年５月２５日に出願された米国仮特許出願第６１／４８９，８９５号明細書の利益とこれらに対する優先権とを主張し、これらの出願はともに、全体として参照により本明細書に組み込まれる。
【０００２】
本発明は、概して、電気外科ペンシルおよび／またはたとえば電気外科シュラウド取付装置などの電気外科ペンシル取付装置用の照明取付装置に関する。より詳細には、本発明の照明取付装置は、支持部材と、照明取付装置を電気外科ペンシルおよび／または電気外科ペンシル取付装置に取り付けるための、支持部材に接続された少なくとも１つの取付部材と、支持部材および／または１つもしくは複数の取付部材に接続された少なくとも１つの照明素子とを備えている。
【背景技術】
【０００３】
大部分の電気外科ペンシルは、現在、外科手術処置中に手術部位から煙、流体および残がいを除去する排煙手段を備えている。しかしながら、このように煙、流体および残がいを除去することにより、外科医に対して切断および／または凝固中の手術部位における可視性が向上するが、外科手術によっては、特に体腔内のより深い領域において身体の他の部分より可視性の低い身体の部分に関与する。さらに、電気外科ペンシルとは分離しかつ別個である外部照明補助装置を使用することができるが、こうした照明補助装置の使用は、効率的ではなく、手術部位が物でさらにふさがれることになる場合があり、それにより外科医による電気外科ペンシルの操作がより困難になる。
【発明の概要】
【発明が解決しようとする課題】
【０００４】
したがって、電気手術ペンシルおよび電気手術ペンシル取付具両方用の照明取付装置であって、電気手術ペンシルおよび／または電気手術ペンシル取付具に容易にかつ取外し可能に固定することができ、それにより、切断および／または凝固が行われる患者の身体の／身体内の領域を照明することができる、照明取付装置が必要とされている。手術または医療処置が行われている患者内または患者の領域をよりよく照明するために、照明取付装置に対してすべての方向に移動させることができる可動照明素子を備えた、電気外科ペンシルおよび電気外科ペンシル取付具用の照明取付装置もまた必要とされている。
【課題を解決するための手段】
【０００５】
本発明は、任意のタイプの電気外科用ペンシル、または電気外科用ペンシルシュラウド取付具などの電気外科用ペンシル取付具用の照明取付装置に関する。本照明取付装置を、外科医が快適であると感じるいずれの方向にも設定することができる。本発明の照明取付装置は、光のビームを電極に集中させることにより、手術部位における可視性を向上させる。照明は、装置内に位置するバッテリによって電力が供給されるＬＥＤ照明であり得る。起動はスイッチによって行われる。別法として、装置内のバッテリを、ＬＥＤに電力を供給するためにＲＦリンクを使用するＲＦピックアップコイルに置き換えることができる。ピックアップコイルを使用するこの代替実施形態では、電気外科用ペンシルを利用することによって切断または凝固が行われる場合、電気外科用ペンシルの切断および／または凝固が起動されるとき、照明またはＬＥＤはオンとなり、電気外科用ペンシルの切断および／または凝固が停止されるとき、照明またはＬＥＤはオフとなる。
【０００６】
本装置の上述した実施形態のいずれかを、電気外科用ペンシルシュラウド取付具などの電気外科用取付装置とともに使用することも可能である。この場合、本発明の照明取付装置は、電気外科用ペンシルシュラウド取付具に接続され／取り付けられる。
【０００７】
本発明の照明取付装置を、電気外科用ペンシル、伸縮式電気外科用ペンシルおよび／または任意のタイプの電気外科用ペンシル取付具に取り付けることができる。さらに、本発明の照明取付装置自体を伸縮式とすることができ、それにより、使用者は、使用者の必要に応じて照明を伸長させるかまたは後退させることができる。
【０００８】
例示的一実施形態では、本発明の照明取付装置は、支持部材と、照明取付装置を電気外科用ペンシルおよび／または電気外科用ペンシル取付具に取り付けるための、支持部材に接続された１つまたは複数の取付部材と、支持部材および／または１つもしくは複数の取付部材に接続された１つまたは複数の照明素子とを備えている。１つまたは複数の取付部材は略開放半円形状を有することができ、それにより、電気外科用ペンシルおよび／または電気外科用ペンシル取付具の少なくとも一部が、取付部材の略半円形状内に嵌合することができる。別の例示的実施形態では、支持部材は互いに反対側に位置する２つの端部を有し、少なくとも１つの照明素子が支持部材の一方の端部の近くに配置され、照明素子に電力を供給する素子が支持部材の他方の端部の近くに配置される。さらに、照明取付装置は、支持部材に接続された２つの取付部材を備え、一方の取付部材は照明素子の近くに配置され、他方の取付部材は照明素子に電力を供給する素子の近くに配置される。
【０００９】
本発明の照明取付装置における照明素子は、任意の素子および変形形態を含むことができる。たとえば、照明素子は、１つまたは複数の発光ダイオード（ＬＥＤ）と１つまたは複数の発光ダイオードに電力を供給する少なくとも１つのバッテリとを備えることができる。別の例では、照明素子は、本技術分野において既知である高周波ピックアップコイルなどの高周波ピックアップコイルによって電力が供給される１つまたは複数のＬＥＤを含むことができる。さらに別の例では、１つ前の例における高周波ピックアップコイルは、可撓性基板の上にバッテリレス高周波センサを含むことができる。さらに、照明素子は、支持部材の一部を構成しかつ／または支持部材から延在することができ、照明素子を、いずれの方向にも移動可能かつ／または屈曲可能とすることができ、それにより、外科医は、照明素子を手術部位の可視性を向上させるように最も有効な位置に容易に位置決めすることができる。
【００１０】
本発明の照明取付装置の支持部材は、頂面および底面を有することができ、１つまたは複数の取付部材が支持部材の頂面を越えて延在している。さらに、１つまたは複数の取付部材は、ｉ）電気外科用ペンシルおよび／もしくは電気外科用ペンシル取付具の底部の少なくとも一部、ならびに／または、ｉｉ）電気外科用ペンシルおよび／もしくは電気外科用ペンシル取付具の頂部の少なくとも一部に取外し可能に固定することができるクリップ部材のように機能することができる。
【００１１】
さらに別の例示的実施形態では、本発明の照明取付装置は、頂面および底面を有する支持部材と、照明取付装置を電気外科ペンシルおよび／または排煙用シュラウドなどの電気外科ペンシル取付具に取り付けるための、支持部材に接続された１つまたは複数の取付部材と、支持部材および／または取付部材の１つもしくは複数に接続された少なくとも１つの照明素子とを備えることができる。照明素子に対して、可撓性基板上に含まれるバッテリレス高周波センサによって電力を供給することができ、ここでは、可撓性基板はまた、照明取付装置を電気外科ペンシルおよび／または電気外科ペンシル取付具に取り付ける取付部材としても機能する。可撓性基板は略開放半円形状を有することができ、それにより、電気外科ペンシルおよび／または外科ペンシル取付具の少なくとも一部が可撓性基板の半円形状内に嵌合することができる。さらに、照明素子を、電気外科ペンシルおよび／ま
たは電気外科ペンシル取付具がそれぞれ起動および停止されるときに、自動的にオン・オフすることができる。
【００１２】
主題発明を、以下、同様の数字が同様の要素を示す、添付の図面の図とともに説明する。
【図面の簡単な説明】
【００１３】
【図１Ａ】本発明の照明取付装置の例示的一実施形態の側面斜視図である。
【図１Ｂ】図１Ａに示す本発明の照明取付装置の例示的実施形態の縦断面図である。
【図２】本発明の照明取付装置の別の例示的実施形態の斜視図である。
【図３】従来技術による電気外科ペンシルの斜視図である。
【図４】本発明の照明取付装置の別の例示的実施形態の斜視図である。
【図５】図３に示す従来技術による電気外科ペンシルに取り付けられて示されている、図４に示す本発明の照明取付装置の例示的実施形態の斜視図である。
【図６】図４に示す本発明の照明取付装置の例示的実施形態であって、従来技術による電気外科ペンシルシュラウド取付具に取り付けられ、電気外科ペンシルシュラウド取付具がさらに従来技術による電気外科ペンシルに取り付けられるように示されている、例示的実施形態の斜視図である。
【図７】本発明の照明取付装置のさらに別の例示的実施形態の斜視図である。
【発明を実施するための形態】
【００１４】
本発明は、概して電気外科用ペンシルおよび／または電気外科用ペンシル取付具の照明取付装置に関する。本発明の照明取付装置を取り付けることができる電気外科ペンシルおよび電気外科ペンシルの上に嵌合するように適合されたシュラウドの例を、いずれも参照により本明細書に組み込まれる米国特許第６，１４２，９９５号明細書および同第７，１１２，１９９号明細書に見ることができる。
【００１５】
図１に、本発明の照明取付装置１０の例示的一実施形態の側面斜視図を示す。照明取付装置１０は、支持部材１２と、照明取付装置１０を電気外科用ペンシルおよび／または電気外科用ペンシル取付具に取り付けるための、支持部材１２に接続されている１つまたは複数の取付部材１４と、支持部材１２および／または１つもしくは複数の取付部材１４に接続されている１つまたは複数の照明素子１６とを備えている。照明素子１６は、支持部材１２の一部を形成しかつ／または支持部材１２から延在することができ、照明素子１６を、いずれの方向にも移動可能かつ／または屈曲可能とすることができ、それにより、外科医は、光のビームを電気外科用ペンシルの電極に集中させることによって、手術部位の可視性を向上させるように最も有効な位置に、照明素子を容易に位置決めすることができる。照明素子１６は、照明素子１６と反対側の支持部材１２の端部に位置するバッテリ１８によって電力が供給される１つまたは複数の発光ダイオード（ＬＥＤ）を含むことができる。照明取付装置１０はまた、照明素子をオン・オフするようにバッテリ１８に接続されているスイッチ２０も備えることができる。別法として、照明取付装置１０にセンサを含めることにより、電気外科用ペンシルならびに／または電気外科用ペンシル取付具の起動および停止とともに、照明素子１６をオン・オフすることができる。
【００１６】
図１Ｂは、図１Ａに示す本発明の照明取付装置１０の例示的実施形態の縦断面図を示す。図１Ｂに示すように、支持要素１２内に収容されているワイヤ２２を介してバッテリ１８を照明素子１６に接続することにより、照明素子１６に対してバッテリ１８によって電力を供給することができる。先に上述したように、照明素子１６を、それが電気外科用ペンシルの電極の箇所に光のビームを投影するように、外科医に対して快適である任意の位置に設定することができる。
【００１７】
図２に、本発明の照明取付装置２０の別の例示的実施形態の斜視図を示す。照明取付装置２０は、支持部材２２と、照明取付装置２０を電気外科用ペンシルおよび／または電気外科用ペンシル取付具に取り付けるための、支持部材２２に接続された１つまたは複数の取付部材２４と、支持部材２２および／または１つもしくは複数の取付部材２４に接続された１つまたは複数の照明素子２６とを備えている。照明素子２６は、支持部材２２の一部を形成しかつ／または支持部材２２から延在することができ、照明素子２６を、いずれの方向にも移動可能かつ／または屈曲可能とすることができ、それにより、外科医は、電気外科用ペンシルの電極に光のビームを集中させることにより、手術部位の可視性を向上させるように最も有効な位置に、照明素子を容易に位置決めすることができる。照明素子２６は、照明素子２６とは反対側の支持部材２２の端部に位置する高周波ピックアップコイル２８によって電力が供給される１つまたは複数の発光ダイオード（ＬＥＤ）を含むことができる。高周波ピックアップコイルをダイオード３０に接続することができ、ダイオード３０は照明素子２６に接続される。照明素子２６を、電気外科用ペンシルならびに／または電気外科用ペンシル取付具の起動および停止とともにオン・オフすることができる。
【００１８】
図３は、従来技術による電気外科ペンシル５０の斜視図である。電気外科ペンシル５０は、従来技術において周知であり、中空ハンドピース部材５２であって、ハンドピースを真空源に接続する排煙端５３を有している中空ハンドピース部材５２と、中空ハンドピース部材５２内に同心状に嵌合する中空伸縮式部材５４であって、ノズル５５と電極５８が通過して延在する第１端５６とを有する伸縮式部材５４と、伸縮式部材５４をハンドピース部材５２に対して適所に係止する係止部材６０と、電気外科ペンシルを電源に接続する電気手段６２と、切断と凝固とを切り換える切換手段６４とを備えることができる。
【００１９】
図４は、本発明の照明取付装置７０の別の例示的実施形態の斜視図である。照明取付装置７０は、支持部材７２と、照明取付装置７０を電気外科用ペンシルおよび／または電気外科用ペンシル取付具に取り付けるための、支持部材７２に接続された１つまたは複数の取付部材７４と、支持部材７２および／または１つもしくは複数の取付部材７４に接続された１つまたは複数の照明素子７６とを備えている。１つまたは複数の取付部材７４は、略開放半円形状を有することができ、それにより、１つまたは複数の取付部材７４は、電気外科ペンシルおよび／または電気外科ペンシル取付具に取り付けるためのクリップとして機能することができる。照明素子７６は、支持部材７２の一部を形成しかつ／または支持部材７２から延在することができ、照明素子７６を、いずれの方向にも移動可能かつ／または屈曲可能とすることができ、それにより、外科医は、電気外科用ペンシルの電極に光のビームを集中させることにより、手術部位の可視性を向上させるように最も有効な位置に、照明素子を容易に位置決めすることができる。照明素子７８に対して、本発明の照明取付装置の他の代替実施形態に関して先に上述した任意の電力供給素子７８によって、電力を供給することができ、照明取付装置１０はまた、照明素子７６をオン・オフするスイッチ７９を備えることができる。別法として、照明素子７６を、電気外科用ペンシルおよび／または電気外科用ペンシル取付具の起動および停止とともにオン・オフすることができる。
【００２０】
図５は、図３に示す従来技術による伸縮式電気外科ペンシル５０に取り付けられて示されており、伸縮式電気外科用ペンシル５０が伸長するかまたは伸縮するように示されている、図４に示す本発明の照明取付装置７０の例示的実施形態の斜視図である。図５に示すように、１つまたは複数の取付部材７４は、本発明の照明取付装置７０を伸縮式電気外科用ペンシル５０の底部の少なくとも一部に取外し可能に取り付ける際にクリップのように作用するように機能する、略開放半円形状を有することができる。照明取付装置７０もまた伸縮式とし、それにより、照明取付装置７０が２つの支持部材を含み、一方の支持部材が、電気外科ペンシルの電極端に向かって外側に（伸縮式電気外科ペンシルのように）伸
縮または伸長することができるように、他方の支持部材内に同心的に保持されるようにすることができることもまた、当業者によって理解されるべきである。
【００２１】
図６に、図４に示す本発明の照明取付装置７０の例示的実施形態であって、従来技術による電気外科ペンシルシュラウド取付具８０に取り付けられ、電気外科ペンシルシュラウド取付具８０がさらに従来技術による電気外科ペンシル５０に取り付けられて示されている、実施形態の斜視図を示す。従来技術による電気外科用ペンシルシュラウド取付具８０は、開放第１端８２、開放第２端８４および略半円形状中空内部を有する導管８１と、導管８１の頂部外面の少なくとも一部と連続的に形成された、電気外科ペンシル５０を取外し可能に受け入れるハンドピースホルダ８６と、導管８１の第１端８２の近くに配置されたノズル部材８８であって、電気外科ペンシル５０からの電極５８が通過して延在することができる第１開放端８９を有するノズル部材８８とを備えている。図６に示すように、１つまたは複数の取付部材７４は、本発明の照明取付装置７０を電気外科用ペンシルシュラウド取付具８０の底部の少なくとも一部に取外し可能に取り付ける際にクリップのように作用するように機能する、略開放半円形状を有することができる。
【００２２】
図７は、本発明の照明取付装置１００のさらに別の例示的実施形態の斜視図である。照明取付装置１００は、頂面および底面を有する支持部材１０２と、照明取付装置１００を電気外科ペンシルおよび／または排煙用のシュラウドなどの電気外科ペンシル取付具に取り付けるための、支持部材１０２に接続された１つまたは複数の取付部材１０４と、支持部材１０２および／または１つもしくは複数の取付部材１０４に接続された少なくとも１つの照明素子１０６とを備えている。照明素子１０６に対して、可撓性基板１０８に含まれるバッテリレス高周波センサピックアップコイル１０７によって電力を供給することができ、そこでは、可撓性基板１０８は、照明取付装置１００を電気外科ペンシルおよび／または電気外科ペンシル取付具に取り付ける取付部材１０４としても機能する。可撓性基板１０８は略開放半円形状を有することができ、それにより、電気外科ペンシルおよび／または電気外科ペンシル取付具の少なくとも一部は、可撓性基板の半円形状内に嵌合することができる。さらに、照明素子１０６を、電気外科ペンシルおよび／または電気外科ペンシル取付具がそれぞれ起動および停止されるときに、自動的にオン・オフすることができる。また、照明素子１０６は、支持部材１０２の一部を形成しかつ／または支持部材１０２から延在することができ、照明素子１０６を、いずれの方向にも移動可能かつ／または屈曲可能とすることができ、それにより、外科医は、電気外科用ペンシルの電極に光のビームを集中させることによって、手術部位の可視性を向上させるように最も有効な位置に、照明素子を容易に位置決めすることができる。
【００２３】
本明細書における本発明の例示的実施形態の詳細な説明は、本発明のさまざまな例示的実施形態とこの時点で本発明者に既知である最良の形態とを示す。これらの例示的実施形態および形態は、当業者が本発明を実施することができるように十分詳細に記載されており、本発明の範囲、適用性または構成を限定するようには決して意図されていない。むしろ、以下の開示は、例示的実施形態および形態の実施態様および当業者に既知であるかまたは明らかである任意の均等の形態または実施態様の両方を教示するように意図されている。さらに、すべての含まれる図は、例示的実施形態および形態の非限定的な例示であり、これらも同様に、当業者に既知であるかまたは明らかである任意の均等の形態または実施形態を利用する。
【００２４】
本発明を実施する際に使用される構造、配置、適用、比率、要素、材料または構成要素の他の組合せおよび／または変更形態を、特定的に挙げられていないものに加えて、本発明の範囲から逸脱することなく、変更することも、または他の方法で特に所定の環境、製造仕様書、設計パラメータまたは他の動作要件に適合させることもでき、これらは本開示に含まれるように意図されている。
【図１Ａ】
2014519882.tif 000003
【図１Ｂ】
2014519882.tif 000004
【図２】
2014519882.tif 000005
【図３】
2014519882.tif 000006
【図４】
2014519882.tif 000007
【図５】
2014519882.tif 000008
【図６】
2014519882.tif 000009
【図７】
2014519882.tif 000010
【国際調査報告】
2014519882.tif 000011